(57)【要約】【課題】両開き構造を有するデッキボードの開閉を容易にさせながら閉じたデッキボードをより確実に固定することを課題とする。【解決手段】デッキボードの第一の縁部の長手方向に沿って進退可能な第一の支軸部材がデッキボードと収納部の一方に設けられ、残る他方に第一の支軸部材を進出方向へ挿入させて該進出方向を第一の回転軸として回転動作可能に嵌合する第一の嵌合穴が設けられ、デッキボードの第二の縁部の長手方向に沿って進退可能な第二の支軸部材がデッキボードと収納部の一方に設けられ、残る他方に第二の支軸部材を進出方向へ挿入させて該進出方向を第二の回転軸として回転動作可能に嵌合する第二の嵌合穴が設けられ、デッキボードは、第二の支軸部材が退避したときに第一の回転軸を中心に第二の縁部を開閉操作可能とされ、第一の支軸部材が退避したときに第二の回転軸を中心に第一の縁部を開閉操作可能とされている。【選択図】図３
2008068712.tif 000002
【特許請求の範囲】
【請求項１】
自動車内で物入れ空間を形成する収納部をデッキボードで開閉する自動車のデッキボード開閉構造であって、
前記デッキボードは、互いに相対する第一および第二の縁部を有し、
前記第一の縁部の長手方向に沿って進退可能な第一の支軸部材が前記デッキボードと前記収納部の一方に設けられ、残る他方に前記第一の支軸部材を進出方向へ挿入させて該進出方向を第一の回転軸として前記第一の支軸部材と回転動作可能に嵌合する第一の嵌合穴が設けられ、
前記第二の縁部の長手方向に沿って進退可能な第二の支軸部材が前記デッキボードと前記収納部の一方に設けられ、残る他方に前記第二の支軸部材を進出方向へ挿入させて該進出方向を第二の回転軸として前記第二の支軸部材と回転動作可能に嵌合する第二の嵌合穴が設けられ、
前記デッキボードは、前記第二の支軸部材が前記第二の嵌合穴から退避したときに前記第一の回転軸を中心に前記第二の縁部を開閉操作可能とされ、前記第一の支軸部材が前記第一の嵌合穴から退避したときに前記第二の回転軸を中心に前記第一の縁部を開閉操作可能とされていることを特徴とする自動車のデッキボード開閉構造。
【請求項２】
前記第一および第二の支軸部材の少なくとも一方を前記進出方向へ進出させる方向に付勢する支軸付勢手段と、
進出した前記第一および第二の支軸部材の少なくとも一方を押圧操作により退避させる操作部と、が設けられていることを特徴とする請求項１に記載の自動車のデッキボード開閉構造。
【請求項３】
前記デッキボードには、引き出し操作により前記第一および第二の支軸部材の少なくとも一方を前記進出方向とは反対方向へ退避させる一方で戻り動作により前記第一および第二の支軸部材の少なくとも一方を前記進出方向へ進出させる把手部と、前記戻り動作後の把手部を格納するように凹んだ形状とされた凹部とが設けられていることを特徴とする請求項１に記載の自動車のデッキボード開閉構造。
【請求項４】
前記デッキボードに対して前記第一および第二の支軸部材の進出方向と並行する方向を回転軸として回転動作可能に取り付けられた第一の連結脚と、前記収納部に対して前記進出方向と並行する方向を回転軸として回転動作可能に取り付けられた第二の連結脚とを有し、前記第一の連結脚における前記デッキボードとは反対側の端部と前記第二の連結脚における前記収納部とは反対側の端部とが前記進出方向と並行する方向を回転軸として互いに回転動作可能に接続され、前記収納部に対して前記第一の回転軸および前記第二の回転軸を中心に前記デッキボードを開閉動作可能にさせて連結する連結機構が設けられていることを特徴とする請求項１〜請求項３のいずれかに記載の自動車のデッキボード開閉構造。
【請求項５】
前記第一の連結脚と前記第二の連結脚とは、折れ曲がるように接続され、
接続された前記第一の連結脚と前記第二の連結脚とに対して両連結脚のなす角度を拡げる方向へ付勢する連結脚付勢手段が設けられていることを特徴とする請求項４に記載の自動車のデッキボード開閉構造。
【請求項６】
接続された前記第一の連結脚と前記第二の連結脚とのなす角度を所定の角度以下に規制する角度規制構造が設けられていることを特徴とする請求項５に記載の自動車のデッキボード開閉構造。
【請求項７】
自動車内で物入れ空間を形成する収納部をデッキボードで開閉する自動車のデッキボード開閉構造であって、
前記デッキボードには、互いに相対して並行する第一および第二の縁部の長手方向にそれぞれ沿って進退可能な第一および第二の支軸部材と、前記第一および第二の支軸部材をそれぞれ進出させる方向に付勢する第一および第二の支軸付勢機構と、進出した前記第一および第二の支軸部材をそれぞれ前記デッキボードの表面側からの操作により退避させる第一および第二の操作部と、が設けられ、
前記収納部には、前記第一の支軸部材を進出方向へ挿入させて該進出方向を第一の回転軸として前記第一の支軸部材と回転動作可能に嵌合する第一の嵌合穴と、前記第二の支軸部材を進出方向へ挿入させて該進出方向を第二の回転軸として前記第二の支軸部材と回転動作可能に嵌合する第二の嵌合穴と、が設けられ、
前記デッキボードは、前記第二の支軸部材が前記第二の嵌合穴から退避したときに前記第一の回転軸を中心に前記第二の縁部を開閉操作可能とされ、前記第一の支軸部材が前記第一の嵌合穴から退避したときに前記第二の回転軸を中心に前記第一の縁部を開閉操作可能とされ、
前記デッキボードの裏面に固定された第一の台座部材と、この第一の台座部材に対して前記第一および第二の支軸部材の進出方向と並行する方向を回転軸として回転動作可能に取り付けられた第一の連結脚と、前記収納部に固定された第二の台座部材と、この第二の台座部材に対して前記進出方向と並行する方向を回転軸として回転動作可能に取り付けられるとともに前記第二の台座部材とは反対側の端部が前記第一の連結脚における前記第一の台座部材とは反対側の端部と回転動作可能に接続された第二の連結脚と、折れ曲がるように接続された前記第一の連結脚と前記第二の連結脚とに対して両連結脚のなす角度を拡げる方向へ付勢するばねと、が設けられ、
前記第一の連結脚には、前記第二の連結脚との接続部位から膨出した第一のストッパが形成され、
前記第二の連結脚には、前記第一の連結脚との接続部位から膨出した第二のストッパが形成され、
前記第一および第二のストッパは、前記両連結脚のなす角度が拡がるときに所定の角度で互いに当接して拡がりを規制することを特徴とする自動車のデッキボード開閉構造。
【請求項８】
自動車内で物入れ空間を形成する収納部をデッキボードで開閉する自動車のデッキボード開閉構造であって、
前記デッキボードは、互いに相対する第一および第二の縁部に沿う位置で前記収納部に嵌合可能とされ、前記第二の縁部と前記収納部との嵌合が解除されたときに前記第一の縁部の長手方向に沿った第一の回転軸を中心に前記第二の縁部を開閉操作可能とされるとともに、前記第一の縁部と前記収納部との嵌合が解除されたときに前記第二の縁部の長手方向に沿った第二の回転軸を中心に前記第一の縁部を開閉操作可能とされ、
前記第一および第二の回転軸を中心に前記デッキボードを開閉動作可能にさせて前記収納部に連結する連結機構と、
この連結機構に対して前記デッキボードを開かせる方向へ付勢する付勢手段とが設けられていることを特徴とする自動車のデッキボード開閉構造。
【発明の詳細な説明】
【技術分野】
【０００１】
本発明は、自動車内で物入れ空間を形成する収納部をデッキボードで開閉する自動車のデッキボード開閉構造に関する。
【背景技術】
【０００２】
自動車の荷室のフロアには、スペアタイヤや工具や小荷物などを収納するため、上面を開口させた凹部が設けられている。このような収納用の凹部としては、荷室の床面を構成するフロアパネルに凹形状を形成したものや、凹部を有する合成樹脂製の収納ボックスをフロアパネル上に設置したもの等が知られている。
収納用の凹部の開口にデッキボードを開閉操作可能となるように設置することによって、デッキボードで前記開口を覆って前記凹部を荷室から仕切ったり、デッキボードの一端を支軸としてデッキボードを回転動作可能とすることにより蓋として機能させたり、デッキボードに荷室のフロアの平坦性を確保する機能などを付与させたりしている。
このようなデッキボードとしては、合成樹脂をブロー成形し、中空形状とするとともに、アルミニウムなどの比較的軽量な金属を内部に挿入して補強したものが知られている。これにより、デッキボードに局所的な荷重がかかるような場合でも、デッキボードが変形したり割れたりすることがなくなる。また、デッキボードを中空形状とすることによって、デッキボードに適度な板厚を持たせて強度および剛性を確保させ、デッキボードの軽量化を図ることが可能となる。
【０００３】
上述したデッキボードの開閉構造として、前縁部を中心軸としてデッキボードを回転動作可能とし、後側を持ち上げるように開閉操作可能とした構造が知られている。また、特許文献１に開示された自動車用デッキボードの蓋開閉構造は、デッキボード本体の開口部裏面における前後位置に車幅方向に延びる断面円形の支軸を取り付けるとともに、蓋体の裏面における前後位置に上記支軸に対して上下方向に弾性嵌合するブラケットを設け、蓋体を前後何れかの支軸を支点として開閉可能に支持した両開き構造とされている。
【特許文献１】実開平５−４１９７５号公報
【発明の開示】
【発明が解決しようとする課題】
【０００４】
しかしながら、特許文献１に開示されたデッキボードは、蓋体を開ける際、断面円形の支軸と弾性嵌合したブラケットを支軸から外すためにブラケットの撓み動作を経て外す必要があり、ブラケットの弾性力に抗する力を蓋体に加えなければならない。また、蓋体を閉じる際、ブラケットを支軸に弾性嵌合させるためにブラケットの撓み動作を経て嵌合させる必要があり、やはりブラケットの弾性力に抗する力を蓋体に加えなければならない。なお、ブラケットの弾性力が弱いと自動車の走行中にブラケットが支軸から外れる可能性があるため、ブラケットにある程度強い弾性力を与えなければならない。従って、蓋体の開閉操作が容易とは言えず、蓋体の開閉操作を容易にさせることが望まれていた。
また、蓋体がブラケットの弾性力によってのみ開口部に取り付けられているため、度重なる蓋体の使用によりブラケットの弾性力が弱まり、自動車の走行中に揺動して異音が発生したり、ブラケットが支軸から外れたりする可能性がある。従って、閉じた蓋体をより確実に固定することが望まれていた。
【０００５】
本発明は、上記課題に鑑みてなされたもので、両開き構造を有するデッキボードの開閉を容易にさせながら閉じたデッキボードをより確実に固定することを目的とする。
【課題を解決するための手段】
【０００６】
上記目的を達成するため、本発明は、自動車内で物入れ空間を形成する収納部をデッキボードで開閉する自動車のデッキボード開閉構造であって、前記デッキボードは、互いに相対する第一および第二の縁部を有し、前記第一の縁部の長手方向に沿って進退可能な第一の支軸部材が前記デッキボードと前記収納部の一方に設けられ、残る他方に前記第一の支軸部材を進出方向へ挿入させて該進出方向を第一の回転軸として前記第一の支軸部材と回転動作可能に嵌合する第一の嵌合穴が設けられ、前記第二の縁部の長手方向に沿って進退可能な第二の支軸部材が前記デッキボードと前記収納部の一方に設けられ、残る他方に前記第二の支軸部材を進出方向へ挿入させて該進出方向を第二の回転軸として前記第二の支軸部材と回転動作可能に嵌合する第二の嵌合穴が設けられ、前記デッキボードは、前記第二の支軸部材が前記第二の嵌合穴から退避したときに前記第一の回転軸を中心に前記第二の縁部を開閉操作可能とされ、前記第一の支軸部材が前記第一の嵌合穴から退避したときに前記第二の回転軸を中心に前記第一の縁部を開閉操作可能とされていることを特徴とする。
【０００７】
第一・第二（第一および第二）の支軸部材がそれぞれ第一・第二の縁部の長手方向に沿って進出して第一・第二の嵌合穴に挿入すると、デッキボードは閉じた状態となる。ここで、第一・第二の支軸部材が第一・第二の嵌合穴に挿入すれば撓み動作を経る必要なく両者が嵌合するので、デッキボードの開閉操作を繰り返しても両者の嵌合が弱くならない。従って、閉じたデッキボードをより確実に固定することが可能になる。
第一・第二の支軸部材と第一・第二の嵌合穴とが嵌合しているときに第二の支軸部材が第二の嵌合穴から第二の縁部の長手方向に沿って退避すると、第一の支軸部材の進出方向を回転軸として第二の縁部が開閉操作可能とされる。また、第一・第二の支軸部材と第一・第二の嵌合穴とが嵌合しているときに第一の支軸部材が第一の嵌合穴から第一の縁部の長手方向に沿って退避すると、第二の支軸部材の進出方向を回転軸として第一の縁部が開閉操作可能とされる。ここで、第一・第二の支軸部材が第一・第二の嵌合穴から退避すれば撓み動作を経る必要なく両者の嵌合が解除されるので、デッキボードの開閉を容易にさせることが可能になる。
【０００８】
上記デッキボードの第一・第二の縁部は、前縁部と後縁部の組み合わせ、左側縁部と右側縁部の組み合わせ、等、種々の向きが考えられる。支軸部材と嵌合穴が設けられる場所は、支軸部材がデッキボードで嵌合穴が収納部でもよいし、支軸部材が収納部で嵌合穴がデッキボードでもよい。なお、支軸部材がデッキボードに設けられると本発明にいう残る他方は収納部となり、支軸部材が収納部に設けられると本発明にいう残る他方はデッキボードとなる。また、第一・第二の支軸部材の一方がデッキボードに設けられて他方が収納部に設けられてもよい。
第一・第二の支軸部材は、それぞれ単数でも複数でもよい。第一・第二の嵌合穴は、それぞれ単数でも複数でもよい。
【０００９】
また、本発明は、自動車内で物入れ空間を形成する収納部をデッキボードで開閉する自動車のデッキボード開閉構造であって、前記デッキボードは、互いに相対する第一および第二の縁部に沿う位置で前記収納部に嵌合可能とされ、前記第二の縁部と前記収納部との嵌合が解除されたときに前記第一の縁部の長手方向に沿った第一の回転軸を中心に前記第二の縁部を開閉操作可能とされるとともに、前記第一の縁部と前記収納部との嵌合が解除されたときに前記第二の縁部の長手方向に沿った第二の回転軸を中心に前記第一の縁部を開閉操作可能とされ、前記第一および第二の回転軸を中心に前記デッキボードを開閉動作可能にさせて前記収納部に連結する連結機構と、この連結機構に対して前記デッキボードを開かせる方向へ付勢する付勢手段とが設けられていることを特徴とする。
【００１０】
上記デッキボードは、上記連結機構により、それぞれ第一・第二の縁部の長手方向に沿った第一・第二の回転軸を中心として開閉動作可能に収納部に連結される。また、上記付勢手段により、デッキボードを開かせる方向へ連結機構が付勢されている。これにより、第二の縁部と収納部との嵌合が解除されると、第一の縁部の長手方向に沿った第一の回転軸を中心として回転動作するようにデッキボードが自動的に開く。また、第一の縁部と収納部との嵌合が解除されると、第二の縁部の長手方向に沿った第二の回転軸を中心として回転動作するようにデッキボードが自動的に開く。このように、デッキボードの第一・第二の縁部のいずれを開く場合でもデッキボードが自動的に開くので、収納部を使用する際の利便性が向上する。
【発明の効果】
【００１１】
請求項１にかかる発明によれば、両開き構造を有するデッキボードの開閉を容易にさせながら閉じたデッキボードをより確実に固定することが可能になる。
請求項２にかかる発明では、操作部を押すだけでデッキボードの嵌合が解除されるため、デッキボード開閉の操作性を向上させることができる。
請求項３にかかる発明では、把手部を掴んで引き出す操作によってデッキボードの嵌合が解除され、また、把手部の上に荷物等を置いてもデッキボードの嵌合が解除されることがないので、デッキボード開閉の操作性を向上させることができる。
【００１２】
請求項４にかかる発明では、両開き構造を有するデッキボードの開閉操作を円滑にさせることができる。
請求項５にかかる発明では、デッキボードの第一・第二の縁部のいずれを開く場合でもデッキボードが自動的に開くので、両開き可能なデッキボードの開閉の操作性を向上させることができる。
請求項６にかかる発明では、デッキボードを所定の角度で開いた状態で保持させることが可能となるため、使用者は荷物の出し入れをする際にデッキボードを支えておく必要がなくなり、荷物の出し入れの際の利便性を向上させることができる。
【００１３】
請求項７にかかる発明では、両開き構造を有するデッキボードの開閉を容易にさせながら閉じたデッキボードをより確実に固定することが可能になり、該デッキボードの開閉の操作性を向上させ、荷物の出し入れの際の利便性を向上させることができる。
請求項８にかかる発明では、デッキボードの第一・第二の縁部のいずれを開く場合でもデッキボードが自動的に開くので、両開き可能なデッキボードの開閉の操作性を向上させることができる。
【発明を実施するための最良の形態】
【００１４】
以下、下記の順序に従って本発明の実施の形態について説明する。
（１）自動車のデッキボード開閉構造の構成：
（２）自動車のデッキボード開閉構造の作用、効果：
（３）変形例：
【００１５】
（１）自動車のデッキボード開閉構造の構成：
図１と図２は、本発明の一実施形態に係るデッキボード開閉構造を採用した自動車の内装の一例を示し、一部を透視または断面視して示している。図３と図４は、デッキボードを開閉させたときのデッキボード開閉構造の動作の一例を示している。図５は、第二の台座部材とともに収納部の一例を上側から見て示し、連結付勢手段の一部およびデッキボードを透視して示している。図６は、軸受部材の一例を示している。図７は、第一の台座部材とともにデッキボードおよび軸支機構の一例を底面側から見て示し、連結付勢手段の一部および収納部を透視して示している。図８は、軸支機構の一例を示している。図９は、軸支機構の動作の一例を示し、第一の軸支機構を前側から見て示す正面図、および、第二の軸支機構を後側から見て示す背面図に相当する。なお、軸受部材２２，２６および嵌合穴２４，２８の位置を二点鎖線で示している。図１０は、支軸部材と嵌合穴とが回転動作可能に嵌合した様子を示している。図１１は、デッキボードが全開しているときの連結付勢手段の一例を示している。図１２は、デッキボードが全開しているときの連結付勢手段の要部を後側から見て示している。図１３は、デッキボードが半開しているときの連結付勢手段の一例を示している。
なお、左右の位置関係を説明するときには、自動車１００の後方から前方を見たときを基準として説明する。
【００１６】
本実施形態の自動車１００は、道路上で使用されるように設計及び装備された路上走行自動車とされ、リヤシート２の後方に荷室ＳＰ１が形成されるステーションワゴンタイプの乗用自動車とされている。本発明を適用可能な自動車には、フロントシートとリヤシートを備える２列シートタイプのモータビークル、さらにサードシートを備える３列シートタイプのモータビークル、フロントシートの後方であってリヤシートまたはサードシートの前方に荷室が形成されるモータビークル、等がある。
【００１７】
本実施形態の自動車のデッキボード開閉構造ＳＴ１は、自動車内で物入れ空間ＳＰ２を形成する収納部１０をデッキボード３０で開閉する。図１と図２に示した例では、荷室ＳＰ１の中で下部となる物入れ空間ＳＰ２を上側で仕切るデッキボードが前部デッキボード３０と後部デッキボード３９とに２分割され、前部デッキボード３０に本発明が適用されている。デッキボード３０，３９は、リヤシート２の背後に形成された荷物収納スペースであるデッキの床面を構成する。前部デッキボード３０の下部には、仕切壁１２によって仕切られる凹形状の収納部１０が設けられている。本実施形態の収納部１０は、車体パネルの一部を構成する金属製のフロアパネル１４、デッキボード３０の形状に合わせて物入れ空間ＳＰ２の前後左右を囲むようにフロアパネル１４上に配置された仕切壁１２、物入れ空間ＳＰ２の前側に設けられた第一の軸受部材２２、物入れ空間ＳＰ２の後側に設けられた第二の軸受部材２６、を有し、スペアタイヤ、工具、小荷物、等を格納することが可能とされている。前部デッキボード３０は収納部１０の蓋として機能し、両デッキボード３０，３９はデッキのフロア面の平坦性を確保する機能を担っている。
【００１８】
デッキボード３０は、略矩形板状に形成され、互いに相対して並行する前縁部（第一の縁部）３０ｃおよび後縁部（第二の縁部）３０ｄを有している。図７〜図９に示すように、デッキボードの前縁部３０ｃには、当該前縁部３０ｃの長手方向（車幅方向Ｄ２）に沿って進退可能な一対の第一の支軸部材４２，４２が設けられている。また、デッキボードの後縁部３０ｄには、当該後縁部３０ｄの長手方向（車幅方向Ｄ２）に沿って進退可能な一対の第二の支軸部材５２，５２が設けられている。一方、図５と図６に示すように、収納部１０の前側には第一の支軸部材４２を進出方向Ｄ３（車幅方向Ｄ２）へ挿入させて該進出方向Ｄ３を第一の回転軸ＡＸ１として第一の支軸部材４２と回転動作可能に嵌合する一対の第一の嵌合穴２４，２４が設けられている。また、収納部１０の後側には第二の支軸部材５２を進出方向Ｄ４（車幅方向Ｄ２）へ挿入させて該進出方向Ｄ４を第二の回転軸ＡＸ２として第二の支軸部材５２と回転動作可能に嵌合する一対の第二の嵌合穴２８，２８が設けられている。本実施形態では、前後縁部３０ｃ，ｄの長手方向が平行とされ、前後の支軸部材４２，５２の進出方向Ｄ３，Ｄ４が平行とされ、前後の回転軸ＡＸ１，ＡＸ２が平行とされているが、これらが平行でなくても本発明を適用可能である。
上記デッキボード３０は、第二の支軸部材５２，５２が第二の嵌合穴２８，２８から退避したときに第一の回転軸ＡＸ１を中心に後縁部３０ｄを開閉操作可能とされ、第一の支軸部材４２，４２が第一の嵌合穴２４，２４から退避したときに第二の回転軸ＡＸ２を中心に前縁部３０ｃを開閉操作可能とされている。
【００１９】
本開閉構造ＳＴ１を適用したデッキボード３０は、その前縁および後縁の両方を軸として回転動作可能とされているため、自動車の後部にある荷室用ドア４の側からだけでなく、デッキボード３０の前にあるリヤシート２の側からもデッキボード３０を開閉させて収納部１０に荷物を出し入れすることが可能である。
【００２０】
仕切壁１２は、金属製、樹脂製、等とされ、例えば、物入れ空間の前側、後側、左側、右側でそれぞれフロアパネル１４から上方へ延出した略矩形の板状部材から構成される。仕切壁１２は、ねじ等によりフロアパネル１４に取り付けられて固定される。そして、仕切壁１２とフロアパネル１４とデッキボード３０とで略直方体状に仕切られる空間が物入れ空間ＳＰ２となる。
【００２１】
軸受部材２２，２６は、例えば図６に示すように、底部２２ａ，２６ａ、該底部から上方へ延出した前側延出部２２ｂ，２６ｂや後側延出部２２ｃ，２６ｃや左側延出部２２ｄ，２６ｄや右側延出部２２ｅ，２６ｅ、を有する金属製部材を用いることができる。第一の軸受部材２２は、左右延出部２２ｄ，ｅに貫通穴が形成されて上記第一の嵌合穴２４，２４とされ、例えば前側の仕切壁１２の前に設けられる。第二の軸受部材２６は、左右延出部２６ｄ，ｅに貫通穴が形成されて上記第二の嵌合穴２８，２８とされ、例えば後側の仕切壁１２の後に設けられる。両軸受部材２２，２６は、例えば、フロアパネル１４に対してねじ等により取り付けられて固定される。前側の嵌合穴２４，２４には、進出してきた前側の支軸部材４２，４２が挿入され、嵌合穴２４，２４どうしを結ぶ車幅方向Ｄ２を回転軸ＡＸ１として回転動作可能に支軸部材４２，４２が嵌合する。後側の嵌合穴２８，２８には、進出してきた後側の支軸部材５２，５２が挿入され、嵌合穴２８，２８どうしを結ぶ車幅方向Ｄ２を回転軸ＡＸ２として回転動作可能に支軸部材５２，５２が嵌合する。
なお、嵌合穴２４，２８が上下方向よりも前後方向Ｄ１へ長くされた長円形状とされているので、支軸部材４２，５２の前後方向の位置にばらつきが生じても円滑に嵌合穴に支軸部材を嵌合させることが可能である。
【００２２】
デッキボード３０の本体部分は、合成樹脂の成形でのみ形成されるボードでもよいし、表皮材や補強用金具等と一緒に合成樹脂を成形して形成されるボードでもよいし、合成樹脂のみで成形される成形品に表皮材や補強用金具等を合わせて形成されるボードでもよい。デッキボードを成形するための合成樹脂としては、アクリロニトリルブタジエンスチレン樹脂（ＡＢＳ樹脂）、ポリプロピレン（ＰＰ）、等の熱可塑性樹脂（合成樹脂の一種）、各種熱硬化性樹脂（合成樹脂の一種）、等を用いることができる。そして、デッキボード用の素材をブロー成形や射出成形やプレス成形等の成形にて所定の形状に成形することにより、デッキボード３０が形成される。
【００２３】
デッキボードの前縁部３０ｃには、車幅方向の中間部で後方へ凹んだ切り欠き部３０ｇが形成されている。この切り欠き部３０ｇに第一の軸支機構４０が取り付けられ、デッキボードの表面（上面３０ａ）側から操作釦４６を押圧操作することが可能とされている。また、デッキボードの後縁部３０ｄには、車幅方向の中間部で前方へ凹んだ切り欠き部３０ｈが形成されている。この切り欠き部３０ｈに第二の軸支機構５０が取り付けられ、デッキボードの表面側から操作釦５６を押圧操作することが可能とされている。
以上により、デッキボード３０は、縁部３０ｃ，ｄに沿う位置で収納部１０に嵌合可能とされ、後縁部３０ｄと収納部１０との嵌合が解除されたときに前縁部３０ｃの長手方向に沿った回転軸ＡＸ１を中心に後縁部３０ｄを開閉操作可能とされるとともに、前縁部３０ｃと収納部１０との嵌合が解除されたときに後縁部３０ｄの長手方向に沿った回転軸ＡＸ２を中心に前縁部３０ｃを開閉操作可能とされている。
【００２４】
軸支機構４０，５０は、例えば図８と図９に示すように、略箱形の筐体４１，５１、車幅方向Ｄ２へ進退可能な支軸部材４２，５２、これらの支軸部材を進出方向Ｄ３，Ｄ４へ進出させる方向に付勢するつる巻きばね（支軸付勢手段）４４，５４、進出した支軸部材を押圧操作により退避させる操作釦（操作部）４６，５６、これらの操作釦の下側に設けられた支軸部材位置決め金具４７，５７、支軸部材を摺動させることにより支軸部材の移動を車幅方向に規制する支軸部材移動規制部４８，５８、支軸部材位置決め金具を摺動させることにより支軸部材位置決め金具の移動を操作釦の押圧方向にのみ規制する金具移動規制部４９，５９、を有する機構を用いることができる。
筐体４１，５１は、金属製、樹脂製、等とすることができる。筐体４１，５１には、支軸部材４２，５２を貫通させた穴が左右側面に形成され、上部の左右から車幅方向外側へ延出した延出部４１ａ，５１ａにねじ穴４１ｂ，５１ｂが形成されている。これらのねじ穴にねじを通してデッキボードの下面３０ｂに筐体４１，５１をねじ止めすることができる。
【００２５】
支軸部材４２，５２は、例えば、長手方向を車幅方向Ｄ２に向けた金属製の棒状部材とすることができ、操作釦４６，５６の動作に連動して進退する。各第一の支軸部材４２，４２は、車幅方向内側の基部４２ａ，４２ａが四角柱状に形成され、基部４２ａ，４２ａから車幅方向外側が略円柱状に形成され、車幅方向外側の先端部にて下側をテーパ状に切り欠いた形状の爪部４２ｂ，４２ｂが形成されている。各第二の支軸部材５２，５２も、車幅方向内側の基部５２ａ，５２ａが四角柱状に形成され、基部５２ａ，５２ａから車幅方向外側が略円柱状に形成され、車幅方向外側の先端部にて下側をテーパ状に切り欠いた形状の爪部５２ｂ，５２ｂが形成されている。基部４２ａ，５２ａが四角柱状であるため、支軸部材４２，５２は支軸部材移動規制部４８，５８に沿って回転することなく車幅方向Ｄ２へスライドする。また、基部４２ａ，５２ａから車幅方向外側が略円柱状であるため、支軸部材４２，５２は嵌合穴２４，２８と回転動作可能に嵌合する。さらに、爪部４２ｂ，５２ｂの下側がテーパ状であるため、デッキボード３０を閉めるとき、爪部４２ｂ，５２ｂは、テーパ部分が軸受部材の左右延出部２２ｄ，２２ｅ，２６ｄ，２６ｅの上端部に当接して付勢機構４４，５４の力に抗して車幅方向内側へ押され、当該上端部を乗り越えて嵌合穴２４，２８に挿入する。これにより、支軸部材と嵌合穴とを嵌合させることができ、デッキボードを容易に閉位置で収納部に固定することが可能になる。
【００２６】
第一の支軸付勢機構４４および第二の支軸付勢機構５４は、筐体４１，５１内で該筐体の底部と金具４７，５７の下端との間に挿入され、金具４７，５７を上方へ付勢している。むろん、支軸付勢機構は、様々な構成が考えられ、直接支軸部材を車幅方向外側へ付勢するばね等でもよい。
本金具４７，５７には、金具移動規制部４９，５９に対して操作釦の押圧方向にのみスライド可能に嵌合した溝状部４７ａ，５７ａが形成されるとともに、下側となるほど互いに離れる位置に形成された一対の第一の溝４７ｂ，４７ｂおよび一対の第二の溝５７ｂ，５７ｂが形成されている。一方、本支軸部材の基部４２ａ，４２ａには後方に向かって突出して溝４７ｂ，４７ｂに対して摺動可能に挿入された一対の凸部４３，４３が形成され、支軸部材の基部５２ａ，５２ａには前方に向かって突出して溝５７ｂ，５７ｂに対して摺動可能に挿入された一対の凸部５３，５３が形成されている。操作釦４６，５６および金具４７，５７が上側にあるとき、溝４７ｂ，５７ｂに挿入された凸部どうしが離間する結果、支軸部材どうしが離間する進出方向Ｄ３，Ｄ４へ進出して嵌合穴２４，２８に挿入する。操作釦４６，５６および金具４７，５７が下側にあるとき、溝４７ｂ，５７ｂに挿入された凸部どうしが近接する結果、支軸部材どうしが近接する方向へ退避して嵌合穴２４，２８との嵌合が解除される。
【００２７】
ここで、ばね４４，５４は、金具４７，５７に対して上側へ力を加えているので、支軸部材４２，５２を進出方向Ｄ３，Ｄ４へ進出させる方向に付勢する。それに対し、第一の操作釦（第一の操作部）４６および第二の操作釦（第二の操作部）５６は、デッキボードの表面３０ａ側からばね４４，５４の付勢力に逆らって押圧操作されると、進出した支軸部材４２，５２を退避させる。その結果、支軸部材４２，５２は縁部３０ｃ，ｄの長手方向に沿って進退する。
【００２８】
図１１〜図１３に示すように、連結付勢手段６０は、第一・第二の回転軸ＡＸ１，ＡＸ２を中心にデッキボード３０を開閉動作可能にさせて収納部１０に連結する連結機構７０、この連結機構に対してデッキボード３０を開かせる方向へ付勢する連結脚付勢手段８０、連結脚７４，７８とのなす角度θ１を所定の角度以下に規制する角度規制構造９０、を備えている。本実施形態では、収納部１０の左側と右側とにそれぞれ連結付勢手段６０が設けられている。
上記連結機構によりデッキボードが収納部に連結されているので、デッキボードの耐荷重性が向上するとともに、自動車走行中にデッキボードが外れたり揺動して異音が発生したりするような不具合の発生を可及的に防止することができる。また、上記連結脚付勢手段により、操作釦を押す操作を行うだけで支軸部材を軸としてデッキボードを自動的に回転動作させることができるため、デッキボードを開く操作が不要になる。さらに、上記角度規制構造により開状態のデッキボードを所定の開位置で保持させることが可能となるため、使用者は、荷物の出し入れをする際にデッキボードを支えておく必要がなくなり、両手を使って荷物を出し入れすることができる。
【００２９】
連結機構７０は、デッキボードの裏面（下面３０ｂ）に固定された第一の台座部材７２、この第一の台座部材に対して第一・第二の支軸部材４２，５２の進出方向Ｄ３，Ｄ４と並行する車幅方向Ｄ２を回転軸ＡＸ３として回転動作可能に取り付けられた第一の連結脚７４と、収納部１０に固定された第二の台座部材７６、この第二の台座部材に対して支軸部材の進出方向Ｄ３，Ｄ４と並行する車幅方向Ｄ２を回転軸ＡＸ４として回転動作可能に取り付けられるとともに第二の台座部材７６とは反対側の端部７８ｂが第一の連結脚７４における第一の台座部材７２とは反対側の端部７４ｂと回転動作可能に接続された第二の連結脚７８、を備えている。連結機構７０の各部は、例えば、金属で形成することができる。
【００３０】
本実施形態の第一の台座部材７２は、デッキボードの下面に接触する基部７２ａ、この基部の左右縁部から収納部側へ延出した延出部７２ｂ，ｃ、を有する形状とされ、長手方向を車幅方向Ｄ２に向けた円柱形状の軸部材７３が延出部７２ｂ，ｃに掛け渡されて固定されている。台座部材７２は、基部７２ａがねじによりデッキボードに取り付けられて固定される。第一の連結脚７４は、デッキボード側の端部７４ａが延出部７２ｂ，ｃ間に挿入され、該端部７４ａで軸部材７３に対して回転動作可能に取り付けられている。
本実施形態の第二の台座部材７６は、フロアパネル１４の上面に接触する基部７６ａ、この基部の左右縁部からデッキボード側へ延出した延出部７６ｂ，ｃ、を有する形状とされ、長手方向を車幅方向Ｄ２に向けた円柱形状の軸部材７７が延出部７６ｂ，ｃに掛け渡されて固定されている。台座部材７６は、基部７６ａがねじによりフロアパネルに取り付けられて固定される。第二の連結脚７８は、収納部側の端部７８ａが延出部７６ｂ，ｃ間に挿入され、該端部７８ａで軸部材７７に対して回転動作可能に取り付けられている。
【００３１】
第二の連結脚７８は、収納部１０とは反対側の端部７８ｂの左右縁部からデッキボード側へ延出した延出部７８ｂ１，７８ｂ２を有し、長手方向を車幅方向Ｄ２に向けた円柱形状の軸部材（接続部位）７５が延出部７８ｂ１，７８ｂ２に掛け渡されて固定されている。第一の連結脚７４は、デッキボード３０とは反対側の端部７４ｂが延出部７８ｂ１，７８ｂ２間に挿入され、該端部７４ｂで軸部材７５に対して回転動作可能に取り付けられている。これにより、第一の連結脚の端部７４ｂと第二の連結脚の端部７８ｂとが支軸部材の進出方向Ｄ３，Ｄ４と並行する車幅方向Ｄ２を回転軸ＡＸ５として互いに回転動作可能に接続され、両連結脚７４，７８は折れ曲がるように接続されている。本実施形態では前方へ尖る向きへ折れ曲がるように両連結脚を接続しているが、後方へ尖る向きへ折れ曲がるように両連結脚を接続してもよい。また、本実施形態では進出方向Ｄ３，Ｄ４および回転軸ＡＸ３〜ＡＸ５が平行とされているが、これらが平行でなくても本発明を適用可能である。
第一の連結脚の端部７４ｂ近傍には、第二の連結脚７８と相対向する側で該連結脚７８に向かって膨らんでばね８０の一端８０ａを掛止させる凸部７４ｃが形成されている。
【００３２】
連結脚７４，７８の回転軸ＡＸ３〜ＡＸ５の向きが支軸部材の進出方向Ｄ３，Ｄ４と並行する方向であるので、デッキボード３０は、第一の支軸部材の進出方向Ｄ３を回転軸ＡＸ１として後縁部３０ｄを開閉操作可能とされ、第二の支軸部材の進出方向Ｄ４を回転軸ＡＸ２として前縁部３０ｃを開閉操作可能とされる。
【００３３】
上記軸部材７５の周りには、両連結脚７４，７８に対して両連結脚のなす角度θ１を拡げる方向へ付勢するつる巻きばね（連結脚付勢手段）８０が装着されている。ばね８０は、内径が軸部材７５の外径よりも大きくされ、内側に軸部材７５が挿入されている。ばね８０は、一端８０ａが第一の連結脚の凸部７４ｃに掛止され、他端８０ｂが第二の連結脚７８における第一の連結脚７４と相対向する側に掛止されている。ばね８０は、両連結脚のなす角度θ１を拡げるように力を加えることにより、デッキボード３０を開かせる方向へ付勢する。
【００３４】
また、第一の連結脚の端部７４ｂには、第二の連結脚７８との接続部位（軸部材７５）から膨出した第一のストッパ９２が形成されている。第二の連結脚の端部７８ｂには、第一の連結脚７４との接続部位（軸部材７５）から膨出した第二のストッパ９４が形成されている。両ストッパ９２，９４は、両連結脚のなす角度θ１が拡がるときに所定の角度で互いに当接して拡がりを規制する角度規制構造９０を構成する。
第二の連結脚との接続部位から膨出した第一のストッパ９２の膨出方向は、第一の台座部材７２とは反対の方向からデッキボード側にずれた方向とされている。第一の連結脚との接続部位から膨出した第二のストッパ９４の膨出方向は、第二の台座部材７６とは反対の方向から収納部側にずれた方向とされている。両連結脚のなす角度θ１が拡がっていくと、ストッパ９２の収納部側とストッパ９４のデッキボード側とが互いに突き当たることにより、角度θ１を１８０°未満、好ましくは１５０°以下の所定の角度に規制する。これにより、開いていくデッキボード３０は、ストッパ９２，９４で規制された角度に応じた所定の開位置で開動作が停止する。
【００３５】
（２）自動車のデッキボード開閉構造の作用、効果：
本デッキボード開閉構造ＳＴ１を形成するには、以下のようにすればよい。
図９に示す軸支機構４０，５０を形成するには、まず、支軸部材４２，５２、ばね４４，５４、金具４７，５７が取り付けられた操作釦４６，５６、これらの支軸部材やばねや金具を挿入可能（例えば二分割）とした筐体４１，５１、を所定の形状に形成する。次に、筐体４１，５１内にばね４４，５４を挿入し、金具の溝４７ｂ，５７ｂに凸部４３，５３を挿入させながら支軸部材４２，５２と金具４７，５７を筐体４１，５１内の所定の位置に挿入する。最後に、筐体４１，５１を閉じると、軸支機構４０，５０が形成される。
また、デッキボードの本体部分を所定の形状に形成し、この本体部分に軸支機構４０，５０を所定の位置でねじ等により固定すると、デッキボード３０が形成される。
【００３６】
収納部１０を形成するには、まず、フロアパネル１４、仕切壁１２、軸受部材２２，２６、を所定の形状に形成する。次に、フロアパネル１４の上面の所定位置に仕切壁１２および軸受部材２２，２６をねじ等により固定する。
【００３７】
図１１〜図１３に示す連結付勢手段６０を形成するには、まず、台座部材７２，７６、連結脚７４，７８、軸部材７３，７５，７７、つる巻きばね８０、を所定の形状に形成する。次に、第一の連結脚の端部７４ｂと第二の連結脚の端部７８ｂとつる巻きばね８０とを軸部材７５の軸ＡＸ５上の所定位置に配置し、これらに軸部材７５を挿入させて、軸部材７５の両端に抜けを防止する加工を行う。さらに、第一の連結脚の端部７４ａと第一の台座部材７２とを軸部材７３の軸ＡＸ３上の所定位置に配置し、これらに軸部材７３を挿入させて、軸部材７３の両端に抜けを防止する加工を行う。また、第二の連結脚の端部７８ａと第二の台座部材７６とを軸部材７７の軸ＡＸ４上の所定位置に配置し、これらに軸部材７７を挿入させて、軸部材７７の両端に抜けを防止する加工を行う。
本開閉構造ＳＴ１を形成するには、フロアパネル１４の上面で収納部１０の左右両側の所定位置に上記連結付勢手段の台座部材７６をねじ等により固定する。また、デッキボードの下面３０ｂで左右縁部の所定位置に上記連結付勢手段の台座部材７２をねじ等により固定する。最後に、軸受部材の嵌合穴２４，２８に支軸部材４２，５２を挿入させると、デッキボード３０が閉じた状態の開閉構造ＳＴ１が形成される。
【００３８】
以下、図３、図４等を参照して、本開閉構造ＳＴ１の動作および作用を説明する。
自動車の荷室用ドア４を開いて物入れ空間ＳＰ２に物を出し入れする等の場合、利用者は、後側の操作釦５６を押圧操作してデッキボードの後縁部３０ｄを開いたり、該後縁部３０ｄを手で押し下げて閉じたりすればよい。
図３の上から三段目に示すように後側の操作釦５６が押圧操作されると、図９の下段に示すように、後側の支軸部材５２，５２は、ばね５４の付勢力に抗して車幅方向内側へ退避し、後側の嵌合穴２８，２８との嵌合が解除される。ここで、前側の支軸部材４２，４２が嵌合穴２４，２４と回転動作可能に嵌合しており、つる巻きばね８０により両連結脚７４，７８が挟む角度θ１を拡げる方向へ付勢されているので、デッキボード３０は、前側の支軸部材４２，４２の進出方向Ｄ３を回転軸ＡＸ１として後縁部３０ｄが開いていく。そして、ストッパ９２，９４が互いに当接すると、両連結脚のなす角度θ１が所定の角度に規制され、図３の最下段に示すようにデッキボード３０の開動作が所定の開位置で停止する。従って、デッキボードの後側が手で保持されなくても開いたままとなり、両手を使って後側から荷物を出し入れすることができる。
なお、操作釦５６の押圧操作が解除されると、支軸部材５２，５２はばね５４の付勢力により前縁部３０ｃの長手方向に沿う進出方向Ｄ３へ進出する。
【００３９】
また、デッキボードの後縁部３０ｄに押し下げる力が加えられると、デッキボード３０は、前側の回転軸ＡＸ１を中心として連結脚付勢手段８０の付勢力に抗して回転動作する。すると、後側の支軸部材５２，５２は、爪部５２ｂ，５２ｂのテーパ部分が軸受部材の左右延出部２６ｄ，２６ｅの上端部に突き当たり、ばね５４からの付勢力に抗して車幅方向内側へ押され、延出部２６ｄ，２６ｅの上端部を乗り越えて嵌合穴２８，２８に挿入する。これにより、支軸部材５２，５２と嵌合穴２８，２８とが嵌合し、図３の上から二段目に示すように収納部１０を覆う所定の閉位置でデッキボード３０が収納部１０に固定される。
【００４０】
自動車のリヤシート２の位置から物入れ空間ＳＰ２に物を出し入れする等の場合、利用者は、前側の操作釦４６を押圧操作してデッキボードの前縁部３０ｃを開いたり、該前縁部３０ｃを手で押し下げて閉じたりすればよい。
前側の操作釦４６が押圧操作されると、図９の下段に示すように、前側の支軸部材４２，４２は、ばね４４の付勢力に抗して車幅方向内側へ退避し、前側の嵌合穴２４，２４との嵌合が解除される。ここで、後側の支軸部材５２，５２が嵌合穴２８，２８と回転動作可能に嵌合しており、つる巻きばね８０により両連結脚７４，７８が挟む角度θ１を拡げる方向へ付勢されているので、デッキボード３０は、後側の支軸部材５２，５２の進出方向Ｄ４を回転軸ＡＸ２として前縁部３０ｃが開いていく。そして、ストッパ９２，９４が互いに当接すると、両連結脚のなす角度θ１が所定の角度に規制され、図３の最上段に示すようにデッキボード３０の開動作が所定の開位置で停止する。従って、デッキボードの前側が手で保持されなくても開いたままとなり、両手を使って前側から荷物を出し入れすることができる。
なお、操作釦４６の押圧操作が解除されると、支軸部材４２，４２はばね４４の付勢力により後縁部３０ｄの長手方向に沿う進出方向Ｄ４へ進出する。
【００４１】
また、デッキボードの前縁部３０ｃに押し下げる力が加えられると、デッキボード３０は、後側の回転軸ＡＸ２を中心として連結脚付勢手段８０の付勢力に抗して回転動作する。すると、前側の支軸部材４２，４２は、爪部４２ｂ，４２ｂのテーパ部分が軸受部材の左右延出部２２ｄ，２２ｅの上端部に突き当たり、ばね４４からの付勢力に抗して車幅方向内側へ押され、延出部２２ｄ，２２ｅの上端部を乗り越えて嵌合穴２４，２４に挿入する。これにより、支軸部材４２，４２と嵌合穴２４，２４とが嵌合し、図３の上から二段目に示すように収納部１０を覆う所定の閉位置でデッキボード３０が収納部１０に固定される。
【００４２】
デッキボードが弾性力によって収納部に取り付けられていると度重なるデッキボードの開閉操作により弾性力が弱まり、自動車の走行中に揺動して異音が発生したり、デッキボードが収納部から外れたりする可能性がある。本実施形態では、デッキボード３０が閉じるとき、支軸部材４２，５２が嵌合穴２４，２８に挿入すれば撓み動作を経る必要なく両者が嵌合するので、デッキボードの開閉操作を繰り返しても両者の嵌合が弱くならない。従って、閉じたデッキボードの固定をより確実にすることが可能になる。
また、デッキボードが弾性力によって収納部に取り付けられていると自動車の走行中にデッキボードが外れないようにある程度強い弾性力を与えなければならず、デッキボードの開閉操作が容易とはならない。本実施形態では、支軸部材４２，５２が嵌合穴２４，２８から退避すれば撓み動作を経る必要なく両者の嵌合が解除されるので、両開き構造を有するデッキボードの開閉を容易にさせることが可能になる。
【００４３】
さらに、連結脚を有する連結機構でデッキボードが収納部に連結されているので、両開き構造を有するデッキボードの開閉操作を円滑にさせることができ、収納部からデッキボードが不用意に外れることを防止することができ、デッキボードの耐荷重性が向上するとともに、自動車走行中に揺動して異音が発生したり、収納部との嵌合が外れたりすることを可及的に防止することができる。また、デッキボードを開閉させる際の回転角度を大きくすることが可能となり、荷物の出し入れが容易になるとともに、連結脚の形状に応じてデッキボードの回転範囲を任意に設定することができる。
さらに、両連結脚のなす角度を拡げる方向へ付勢する連結脚付勢手段が設けられているので、デッキボードの前縁部、後縁部いずれを開く場合でもデッキボードが自動的に開く。これにより、デッキボードの開閉に伴う使用者の負担が軽減し、極めて容易にデッキボードの開閉を行うことができ、両開き可能なデッキボードの開閉の操作性を向上させることができる。
【００４４】
さらに、デッキボードを所定の角度で開いた状態で保持させることが可能となるため、使用者は荷物の出し入れをする際にデッキボードを手で支えておく必要がなくなる。これにより、使用者の負担が軽減し、使用者は両手を使って荷物を出し入れすることができ、荷物の出し入れの際の利便性を向上させることができる。
さらに、操作部を押すだけでデッキボードの嵌合がワンタッチで解除されるため、デッキボード開閉の操作性を向上させることができる。
なお、実開平５−４１９７５号公報記載の構造では、物を入れる開口部に支軸が露出するため見栄えが良くなく、支軸の分だけ開口部の収納スペースが削られる。本実施形態では、収納部に支軸が露出しないため見栄えが良く、収納部の収納スペースも削られない。
【００４５】
（３）変形例：
なお、本発明は、種々の変形例が考えられる。
例えば、デッキボードは、左側縁部３０ｅの長手方向に沿った第一の回転軸を中心に右側縁部３０ｆを開閉操作可能とされるとともに、右側縁部３０ｆの長手方向に沿った第二の回転軸を中心に左側縁部３０ｅを開閉操作可能とされたデッキボードでもよい。
支軸部材がデッキボード側にあると操作部を設けた構造が簡単になるものの、支軸部材が収納部に設けられてもよい。支軸部材と回転動作可能に嵌合する嵌合穴は、デッキボードに設けられてもよい。むろん、第一の支軸部材と第二の嵌合穴とがデッキボードに設けられて第二の支軸部材と第一の嵌合穴とが収納部に設けられてもよいし、第一の支軸部材と第二の嵌合穴とが収納部に設けられて第二の支軸部材と第一の嵌合穴とがデッキボードに設けられてもよい。また、デッキボードの同じ縁部（例えば前縁部）にデッキボード側支軸部材およびデッキボード側嵌合穴を設け、該デッキボード側支軸部材と嵌合する収納部側嵌合穴および該デッキボード側嵌合穴と嵌合する収納部側支軸部材を設けてもよい。
第一の支軸部材を互いに反対方向へ進出する一対の支軸部材で構成するとデッキボードの回転動作の安定性が向上する点で好適であるものの、一方向にのみ進出する支軸部材（例えば単一の支軸部材）で構成してもよいし、３以上の支軸部材で構成してもよい。第一の嵌合穴も、単一の嵌合穴で構成してもよいし、３以上の嵌合穴で構成してもよい。また、第二の支軸部材を互いに反対方向へ進出する一対の支軸部材で構成するとデッキボードの回転動作の安定性が向上する点で好適であるものの、一方向にのみ進出する支軸部材（例えば単一の支軸部材）で構成してもよいし、３以上の支軸部材で構成してもよい。第二の嵌合穴も、単一の嵌合穴で構成してもよいし、３以上の嵌合穴で構成してもよい。
嵌合穴が貫通穴であると構造が簡単になるものの、嵌合穴は、貫通穴でなくてもよく、支軸部材を進出方向へ挿入可能な凹形状等でもよい。
【００４６】
支軸付勢手段（ばね４４，５４）が軸支機構４０，５０に設けられなかったり、ばね４４だけ設けられてばね５４が設けられなかったり、ばね５４だけ設けられてばね４４が設けられなかったりしても、本発明の基本的な作用、効果が得られる。ばね４４，５４が設けられていない場合、操作釦を押圧操作すれば支軸部材を退避させることができ、操作釦を引く操作をすれば支軸部材を進出させることができる。その結果、支軸部材の進出方向を中心軸としてデッキボードを両開き可能にさせることができる。
さらに、操作部（操作釦４６，５６）が軸支機構４０，５０に設けられなかったり、操作釦４６だけ設けられて操作釦５６が設けられなかったり、操作釦５６だけ設けられて操作釦４６が設けられなかったりしても、本発明を適用可能である。例えば、支軸部材の爪部４２ｂ，５２ｂの上側もテーパ状に形成すれば、デッキボードを開くときに支軸付勢機構４４，５４の力に抗して爪部４２ｂ，５２ｂに軸受部材２２，２６の左右延出部の上端部を乗り越えさせて嵌合穴２４，２８との係合を解除させることができる。デッキボードを閉じるときには、支軸付勢機構４４，５４の力に抗して爪部４２ｂ，５２ｂに軸受部材２２，２６の左右延出部の上端部を乗り越えさせて嵌合穴２４，２８と嵌合させることができる。その結果、支軸部材の進出方向を中心軸としてデッキボードを両開き可能にさせることができる。
【００４７】
さらに、連結脚付勢手段や、角度規制構造や、連結機構が設けられていなくても、本発明の基本的な作用、効果が得られ、支軸部材の進出方向を中心軸としてデッキボードを両開き可能にさせることができる。
なお、支軸部材４２，５２をともに嵌合穴２４，２８との嵌合から解除すれば、デッキボード３０を取り外すことも可能となり、荷室ＳＰ１の荷物収納スペースを拡大することが可能となる。また、支軸部材４２，５２をともに嵌合穴２４，２８との嵌合から解除した状態でデッキボード３０を上下方向に立てて保持すれば、閉状態のデッキボード３０上のデッキ空間（荷室ＳＰ１）と物入れ空間ＳＰ２との両方を使って、デッキ空間だけでは収納できなかった背の高い荷物などを収納することも可能となる。
上述した各種変形例は、下記の変形例にも適用される。
【００４８】
図１４と図１５は、軸支機構を有するデッキボードの変形例を示している。図１４では、支軸部材１４２，１５２の進出位置を二点鎖線で示している。本変形例のデッキボード１３０には、前縁部１３０ｃの中間部で後方へ凹んだ形状の第一の凹部１３２が形成され、後縁部１３０ｄの中間部で前方へ凹んだ形状の第二の凹部１３４が形成されている。
図１４に示すように、軸支機構１４０，１５０は、略箱形の筐体１４１，１５１、車幅方向Ｄ２へ進退可能な支軸部材１４２，１５２、これらの支軸部材を進出方向へ進出させる方向（車幅方向Ｄ２）に付勢する支軸付勢手段１４４，１５４、操作に連動して支軸部材１４２，１５２を進退させる第一の把手部１４６および第二の把手部１５６と、戻り動作後の把手部１４６，１５６を格納するように凹んだ形状とされた凹部１４８，１５８、支軸部材を摺動させることにより支軸部材の移動を車幅方向に規制する支軸部材移動規制部、を有する機構を用いることができる。把手部１４６，１５６は、引き出し操作により支軸部材１４２，１５２を進出方向とは反対方向へ退避させる一方、戻り動作により支軸部材１４２，１５２を進出方向へ進出させる。
【００４９】
軸支機構１４０，１５０をねじ等によりデッキボードの凹部１３２，１３４に取り付けて固定すると、把手部１４６，１５６の操作に応じて支軸部材１４２，１５２が車幅方向Ｄ２へ進退する。ここで、把手部１４６，１５６を凹部１４８，１５８から引き出すと、支軸部材１４２，１５２は、進出方向とは反対方向へ退避し、嵌合穴と嵌合していた場合には嵌合穴との嵌合が解除される。一方、把手部１４６，１５６を凹部１４８，１５８内に格納させると、支軸部材１４２，１５２は、進出方向へ進出し、進出方向に嵌合穴が存在する場合には嵌合穴と回転動作可能に嵌合する。
本変形例では、把手部を掬い上げる操作によって、デッキボードを開閉操作させる手掛かりができるとともに支軸部材１４２，１５２と軸受部材との嵌合が外れる。このため、支軸部材と軸受部材との嵌合を解除するのに、余計な手間をかけることなく把手部を掴んで持ち上げる簡単な操作によって嵌合を解除することができる。また、使用者がデッキボードを開けるために把手部を掴んで引き出す操作をした場合にのみ支軸部材と軸受部材との嵌合が外れるため、把手部上に荷物等が置かれてもデッキボードの嵌合が解除されない。従って、デッキボード開閉の操作性を向上させることができる。
【００５０】
また、第一・第二の支軸部材をともに第一・第二の嵌合穴との嵌合から解除して、デッキボードを上方へ持ち上げて略水平に保持すれば、荷室を二段階に仕切ることができる。従って、本発明の一側面として、デッキボードは、互いに相対する第一および第二の縁部に沿う位置で収納部に嵌合可能とされ、前記第一および第二の縁部と前記収納部とが嵌合したときに該収納部を閉じる閉位置とされ、前記第二の縁部と前記収納部との嵌合が解除されたときに前記第一の縁部の長手方向に沿った第一の回転軸を中心に前記第二の縁部を開閉操作可能とされるとともに、前記第一の縁部と前記収納部との嵌合が解除されたときに前記第二の縁部の長手方向に沿った第二の回転軸を中心に前記第一の縁部を開閉操作可能とされ、前記第一および第二の縁部と前記収納部との嵌合が解除されたときに前記デッキボードを前記閉位置から前記収納部とは反対側の離間位置に保持する保持部材が設けられてもよい。
【００５１】
図１６〜図１８は、荷室を二段階に仕切ることが可能なデッキボード開閉構造の一例を示している。本デッキボード開閉構造ＳＴ２では、デッキボードの前縁部３０ｃおよび後縁部３０ｄと収納部１０との嵌合が解除されたときにデッキボード２３０を閉位置から上方位置（離間位置）に保持する受け部材（保持部材）２３８が複数設けられている。受け部材２３８は、例えば、上方位置にあるデッキボードの前縁部３０ｃの左右両端部となる各位置および後縁部３０ｄの左右両端部となる各位置において、デッキサイド（荷室ＳＰ１の側面）にある内装材や車体パネルに取り付けられる。図１７に示すように、各受け部材２３８は、デッキボード２３０の四隅を上面に載置可能な載置面２３８ａが形成され、該載置面から車幅方向外側に向かってデッキボードの係止部材２３３を挿入可能な穴２３８ｂが形成されている。一方、デッキボード２３０の四隅には、車幅方向外側へ進退動作可能な係止部材２３３がそれぞれ設けられ、該係止部材を進退させる操作を行うための操作部２３２がそれぞれ上面に設けられている。各操作部２３２のつまみ２３２ａを車幅方向外側へスライドさせると係止部材２３３が進出し、つまみ２３２ａを車幅方向内側へスライドさせると係止部材２３３が退避するようにされている。
【００５２】
デッキボード２３０が閉位置にあるとき、第一・第二の支軸部材をともに第一・第二の嵌合穴との嵌合から解除し、デッキボード２３０を前後の受け部材２３８，２３８の間から上方に引き出し、デッキボード２３０の四隅を各受け部材の載置面２３８ａに載置して、操作部のつまみ２３２ａを車幅方向外側へスライドさせる操作を行って係止部材２３３を車幅方向外側へ進出させて受け部材の穴２３８ｂに挿入させると、デッキボード２３０を上方位置で略水平に保持することができる。一方、デッキボード２３０が上方位置にあるとき、操作部のつまみ２３２ａを車幅方向内側へスライドさせる操作を行って係止部材２３３を車幅方向内側へ退避させて受け部材の穴２３８ｂから外し、デッキボード２３０を前後の受け部材２３８，２３８の間から下方へ降ろし、第一・第二の支軸部材をともに第一・第二の嵌合穴と嵌合させると、デッキボード２３０を閉位置にて保持することができる。なお、デッキボード２３０を閉位置にさせているときには係止部材２３３を退避させておけばよいが、進出した係止部材を収容する部位を収納部側に形成しておけば係止部材を進出させた状態でデッキボードを閉位置にすることができる。
【００５３】
以上説明したように、デッキボードが収納部から離間した上方位置でも保持されるので、荷物の形状等に応じてデッキボードの高さを変えることができる。従って、荷室を使用する際の利便性が向上する。
なお、なるべくデッキボードを収納部から離間させる観点からは、ストッパ９２，９４を無くしたり、角度θ１が１８０゜に近くなるようにストッパ９２，９４を形成したりするとよい。
【００５４】
図１９〜図２１は、荷室を二段階に仕切ることが可能なデッキボード開閉構造の別の一例を示している。本デッキボード開閉構造ＳＴ３では、受け部材（保持部材）として断面Ｊ字状の受け部材３３８が複数設けられている。受け部材３３８は、例えば、デッキサイド（荷室ＳＰ１の側面）にある内装材や車体パネルに取り付けられる。図２０に示すように、各受け部材３３８は、デッキボード３３０の四隅を上面に載置可能な載置面３３８ａが形成され、該載置面の前後方向外側から上方へ曲げられた部位が形成されている。該部位の先端部３３８ｂは、デッキボード３３０が載置されるときに該デッキボードの弾性部材３３２と接触される位置とされている。一方、デッキボード３３０の四隅には、ラバー（ゴム）等の可撓性の弾性部材３３２がそれぞれ設けられている。各弾性部材３３２は、各受け部材３３８に圧入される。
なお、なるべくデッキボードを収納部から離間させる観点から、連結付勢手段３６０にストッパを設けていない。
【００５５】
図２１は、閉位置Ｌ１にあるデッキボード３３０を上方位置Ｌ５に移動させる様子を示している。
デッキボード３３０が閉位置Ｌ１にあるとき、第一・第二の支軸部材をともに第一・第二の嵌合穴との嵌合から解除し、デッキボード３３０の前後縁部の一方（図では前縁部）を前後の受け部材３３８，３３８の間から上方へ引き出していく（図のＬ２〜Ｌ３の位置）。デッキボード３３０を完全に前後の受け部材３３８，３３８の間から上方へ引き出すと、まず、デッキボード３３０の前後縁部の一方（図では前縁部）を受け部材の載置面３３８ａに載置させる。そして、デッキボード３３０の前後縁部の他方（図では後縁部）に取り付けられた弾性部材３３２を受け部材の先端部３３８ｂに接触させて弾性変形させた後、デッキボード３３０の前後縁部の他方も受け部材の載置面３３８ａに載置すると、デッキボード３３０を上方位置で略水平に保持することができる。一方、デッキボード３３０が上方位置にあるとき、弾性部材３３２を弾性変形させながらデッキボード３３０を受け部材３３８から外し、デッキボード３３０を前後の受け部材３３８，３３８の間から下方へ降ろし、第一・第二の支軸部材をともに第一・第二の嵌合穴と嵌合させると、デッキボード３３０を閉位置にて保持することができる。
【００５６】
以上説明した変形例でも、荷物の形状等に応じてデッキボードの高さを変えることができるので、荷室を使用する際の利便性が向上する。
【００５７】
さらに、デッキサイド側に進退動作可能な係止部材を設け、該係止部材にデッキボードを載置させたり、デッキボードに形成した穴に進出した係止部材を挿入させて嵌合させることによりデッキボードを保持させたりして、デッキボードを上方位置に保持させてもよい。これらの場合でも、同様に荷室を使用する際の利便性が向上する。
【００５８】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００５９】
【図１】デッキボード開閉構造を採用した自動車の内装の一例を示す側面図。
【図２】デッキボード開閉構造を採用した自動車の内装の一例を示す要部斜視図。
【図３】デッキボードを開閉させたときのデッキボード開閉構造の動作の一例を示す図。
【図４】デッキボードを開閉させたときのデッキボード開閉構造の動作の一例を示す図。
【図５】第二の台座部材とともに収納部の一例を上側から見て示す平面図。
【図６】軸受部材の一例を示す斜視図。
【図７】第一の台座部材とともにデッキボードおよび軸支機構の一例を示す底面図。
【図８】軸支機構の一例を示す斜視図。
【図９】軸支機構の動作の一例を示す図。
【図１０】支軸部材と嵌合穴とが回転動作可能に嵌合した一例を示す斜視図。
【図１１】連結付勢手段の一例を後側から見て示す斜視図。
【図１２】図１１に示す連結付勢手段の要部を示す要部背面図。
【図１３】図１１に示す連結付勢手段を前側から見て示す斜視図。
【図１４】軸支機構の変形例を示す斜視図。
【図１５】変形例において軸支機構をデッキボードに取り付ける様子を示す分解斜視図。
【図１６】変形例においてデッキボードが閉位置にあるときのデッキボード開閉構造の様子を示す要部斜視図。
【図１７】図１６に示すデッキボード開閉構造の要部を示す要部斜視図。
【図１８】図１６に示す変形例においてデッキボードを上方位置に保持した様子を示す要部斜視図。
【図１９】変形例においてデッキボードが閉位置にあるときのデッキボード開閉構造の様子を示す要部斜視図。
【図２０】図１９に示すデッキボード開閉構造の要部を示す要部斜視図。
【図２１】図１９に示す変形例においてデッキボードを上方位置に保持させる様子を側面から見て示す図。
【符号の説明】
【００６０】
１０…収納部、１２…仕切壁、１４…フロアパネル、
２２…第一の軸受部材、２４…第一の嵌合穴、
２６…第二の軸受部材、２８…第二の嵌合穴、
３０，１３０，２３０，３３０…デッキボード、
３０ａ…上面、３０ｂ…下面、
３０ｃ…前縁部（第一の縁部）、３０ｄ…後縁部（第二の縁部）、
４０，１４０…第一の軸支機構、４１…筐体、
４２，１４２…第一の支軸部材、
４４，１４４…第一の支軸付勢機構（支軸付勢手段）、
４６…第一の操作釦（第一の操作部）、
５０，１５０…第二の軸支機構、５１…筐体、
５２，１５２…第二の支軸部材、
５４，１５４…第二の支軸付勢機構（支軸付勢手段）、
５６…第二の操作釦（第二の操作部）、
６０…連結付勢手段、
７０…連結機構、
７２…第一の台座部材、７３…軸部材、
７４…第一の連結脚、７４ａ，ｂ…端部、
７５…軸部材（接続部位）、
７６…第二の台座部材、７７…軸部材、
７８…第二の連結脚、７８ａ，ｂ…端部、
８０…つる巻きばね（連結脚付勢手段）、
９０…角度規制構造、
９２…第一のストッパ、９４…第二のストッパ、
１００…自動車、
１４６…第一の把手部、１５６…第二の把手部、
１４８，１５８…凹部、
ＡＸ１…第一の回転軸、ＡＸ２…第二の回転軸、
Ｄ１…前後方向、Ｄ２…車幅方向、Ｄ３，Ｄ４…進出方向、
ＳＰ１…荷室、ＳＰ２…物入れ空間、
ＳＴ１…デッキボード開閉構造、
【図１】
2008068712.tif 000003
【図２】
2008068712.tif 000004
【図３】
2008068712.tif 000005
【図４】
2008068712.tif 000006
【図５】
2008068712.tif 000007
【図６】
2008068712.tif 000008
【図７】
2008068712.tif 000009
【図８】
2008068712.tif 000010
【図９】
2008068712.tif 000011
【図１０】
2008068712.tif 000012
【図１１】
2008068712.tif 000013
【図１２】
2008068712.tif 000014
【図１３】
2008068712.tif 000015
【図１４】
2008068712.tif 000016
【図１５】
2008068712.tif 000017
【図１６】
2008068712.tif 000018
【図１７】
2008068712.tif 000019
【図１８】
2008068712.tif 000020
【図１９】
2008068712.tif 000021
【図２０】
2008068712.tif 000022
【図２１】
2008068712.tif 000023